(57)【要約】【課題】  携帯端末装置のマナーモードの設定忘れや携帯端末装置の電源切り忘れ等を回避して周囲への迷惑を防ぐことが可能な携帯端末装置を提供する。【解決手段】  受信制御コード解析回路１４では受信した信号から制御コードを抽出し、制御コードが送信停止指示コードであれば、送信回路１８へ送信停止指示信号を通知し、制御コードがマナーモード設定コードであれば、通信制御及び通信回路１６へマナーモード設定指示を行う。受信制御コード解析回路１４は制御コードが送信停止指示信号の解除指示、あるいはマナーモード解除指示信号であれば、送信停止指示あるいはマナーモード設定指示を解除する。通信制御及び通信回路１６はマナーモード設定指示によってマナーモードを設定し、送信回路１８は送信出力停止指示信号が通知された場合のみ送信出力の停止を行う。【選択図】      図１                                                  
2005229229.tif 000002
【特許請求の範囲】
【請求項１】
携帯端末装置の動作をリモート制御する携帯端末リモート制御システムであって、前記携帯端末装置の動作を制限するための制御コードを受信信号から抽出して解析する手段と、その解析結果に応じて前記携帯端末装置の動作を制限する手段とを前記携帯端末装置に有することを特徴とする携帯端末リモート制御システム。
【請求項２】
前記携帯端末装置の動作を制限する手段は、前記制御コードの解析結果に応じて送信出力の停止とマナーモードの自動設定と前記携帯端末装置の電源オフとのうちの少なくとも一つを行うことを特徴とする請求項１記載の携帯端末リモート制御システム。
【請求項３】
前記携帯端末装置の動作を制限する手段は、前記制御コードの解析結果に応じて送信出力停止の解除とマナーモード設定の解除とのうちの少なくとも一つを行うことを特徴とする請求項２記載の携帯端末リモート制御システム。
【請求項４】
前記携帯端末装置の動作を制限する手段は、マニュアルによるマナーモード設定状態でありかつ前記マナーモード設定の解除指示を受信時に前記マナーモードの解除を抑止することを特徴とする請求項３記載の携帯端末リモート制御システム。
【請求項５】
前記携帯端末装置の動作を制限するエリア内に設けられかつ当該エリア内における前記携帯端末装置の使用方法について前記制御コードにて通知する送信装置を含むことを特徴とする請求項１から請求項４のいずれか記載の携帯端末リモート制御システム。
【請求項６】
自装置の動作を制限するための制御コードを受信信号から抽出して解析する手段と、その解析結果に応じて前記自装置の動作を制限する手段とを有することを特徴とする携帯端末装置。
【請求項７】
前記自装置の動作を制限する手段は、前記制御コードの解析結果に応じて送信出力の停止とマナーモードの自動設定と自装置の電源オフとのうちの少なくとも一つを行うことを特徴とする請求項６記載の携帯端末装置。
【請求項８】
前記自装置の動作を制限する手段は、前記制御コードの解析結果に応じて送信出力停止の解除とマナーモード設定の解除とのうちの少なくとも一つを行うことを特徴とする請求項７記載の携帯端末装置。
【請求項９】
前記自装置の動作を制限する手段は、マニュアルによるマナーモード設定状態でありかつ前記マナーモード設定の解除指示を受信時に前記マナーモードの解除を抑止することを特徴とする請求項８記載の携帯端末装置。
【請求項１０】
携帯端末装置の動作をリモート制御する携帯端末リモート制御方法であって、前記携帯端末装置側に、前記携帯端末装置の動作を制限するための制御コードを受信信号から抽出して解析するステップと、その解析結果に応じて前記携帯端末装置の動作を制限するステップとを有することを特徴とする携帯端末リモート制御方法。
【請求項１１】
前記携帯端末装置の動作を制限するステップは、前記制御コードの解析結果に応じて送信出力の停止とマナーモードの自動設定と前記携帯端末装置の電源オフとのうちの少なくとも一つを行うことを特徴とする請求項１０記載の携帯端末リモート制御方法。
【請求項１２】
前記携帯端末装置の動作を制限するステップは、前記制御コードの解析結果に応じて送信出力停止の解除とマナーモード設定の解除とのうちの少なくとも一つを行うことを特徴とする請求項１１記載の携帯端末リモート制御方法。
【請求項１３】
前記携帯端末装置の動作を制限するステップは、マニュアルによるマナーモード設定状態でありかつ前記マナーモード設定の解除指示を受信時に前記マナーモードの解除を抑止することを特徴とする請求項１２記載の携帯端末リモート制御方法。
【請求項１４】
前記携帯端末装置の動作を制限するエリア内に設けられた送信装置から、当該エリア内における前記携帯端末装置の使用方法について前記制御コードにて通知することを特徴とする請求項１０から請求項１３のいずれか記載の携帯端末リモート制御方法。
【請求項１５】
携帯端末装置の動作をリモート制御する携帯端末リモート制御方法のプログラムであって、コンピュータに、前記携帯端末装置の動作を制限するための制御コードを受信信号から抽出して解析する処理と、その解析結果に応じて前記携帯端末装置の動作を制限する処理とを実行するためのプログラム。
【発明の詳細な説明】
【技術分野】
【０００１】
本発明は携帯端末リモート制御システム、携帯端末装置及びそれらに用いる携帯端末リモート制御方法並びにそのプログラムに関し、特に携帯端末装置における送信出力の停止設定やマナーモードの設定等を行うためのリモート制御に関する。
【背景技術】
【０００２】
従来、携帯端末装置においては、送信出力を停止したり、マナーモードへの移行をリモートからの制御によって自動的に設定／解除する機能が具備されていない。そのため、携帯端末装置の使用者が意識して操作しないと、携帯端末装置の電源のＯＦＦ、マナーモード設定を忘れて、映画館や病院等において周りの人に迷惑をかけることが多々ある。
【０００３】
上記の問題を回避するために、従来の携帯端末装置では、マナーモード設定用の基地局ＩＤ（識別情報）と解除用の基地局ＩＤとを記憶しておき、マナーモード設定用の基地局ＩＤが検出された時にマナーモード設定を行い、解除用の基地局ＩＤが検出された時にマナーモード設定の解除を行う方法が提案されている（例えば、特許文献１参照）。
【０００４】
【特許文献１】特開２０００−１８８７８１号公報
【発明の開示】
【発明が解決しようとする課題】
【０００５】
上述した従来の携帯端末装置では、電磁波による影響を防ぐために、携帯端末装置の電源をオフしたり、劇場や電車等での着信音等を消し、バイブレーションの設定をしたりするために、マニュアル（人手）にて操作が必要であるので、その操作を忘れた時に他の人に悪影響や迷惑を及ぼすこととなる。
【０００６】
また、上記の特許文献１に記載の技術では、予め記憶してあるマナーモード設定用の基地局ＩＤが検出された時にマナーモード設定を行い、解除用の基地局ＩＤが検出された時にマナーモード設定の解除を行っているが、移動している電車等の場合には、その電車等に乗り降りする駅毎にＩＤを設定しなければならず、つまり設定すべきＩＤの数が多くなり、実用的とはいえない。
【０００７】
そこで、本発明の目的は上記の問題点を解消し、携帯端末装置のマナーモードの設定忘れや携帯端末装置の電源切り忘れ等を回避して周囲への迷惑を防ぐことができる携帯端末リモート制御システム、携帯端末装置及びそれらに用いる携帯端末リモート制御方法並びにそのプログラムを提供することにある。
【課題を解決するための手段】
【０００８】
本発明による携帯端末リモート制御システムは、携帯端末装置の動作をリモート制御する携帯端末リモート制御システムであって、前記携帯端末装置の動作を制限するための制御コードを受信信号から抽出して解析する手段と、その解析結果に応じて前記携帯端末装置の動作を制限する手段とを前記携帯端末装置に備えている。
【０００９】
本発明による携帯端末装置は、自装置の動作を制限するための制御コードを受信信号から抽出して解析する手段と、その解析結果に応じて前記自装置の動作を制限する手段とを備えている。
【００１０】
本発明による携帯端末リモート制御方法は、携帯端末装置の動作をリモート制御する携帯端末リモート制御方法であって、前記携帯端末装置側に、前記携帯端末装置の動作を制限するための制御コードを受信信号から抽出して解析するステップと、その解析結果に応じて前記携帯端末装置の動作を制限するステップとを備えている。
【００１１】
本発明による携帯端末リモート制御方法のプログラムは、携帯端末装置の動作をリモート制御する携帯端末リモート制御方法のプログラムであって、コンピュータに、前記携帯端末装置の動作を制限するための制御コードを受信信号から抽出して解析する処理と、その解析結果に応じて前記携帯端末装置の動作を制限する処理とを実行している。
【００１２】
すなわち、本発明の携帯端末リモート制御システムは、劇場、病院、電車等のエリアに、携帯端末装置のマナーモードを指定する制御コマンドを送信する手段が設置されており、その制御コマンドを受信した場合に自動的に携帯端末装置の送信出力を停止する手段と、携帯端末装置のマナーモードへの自動変更する手段とを携帯端末装置に有している。
【００１３】
また、本発明の携帯端末リモート制御システムでは、制御コマンドを一定時間以上受信していないことを検出した時に送信出力停止やマナーモードの設定を自動解除する手段を携帯端末装置に有している。
【００１４】
さらに、本発明の携帯端末リモート制御システムでは、送信出力制御解除またはマナーモード解除指示を指定する制御コマンドを送信する手段が設置されており、その制御コマンドを受信した場合に送信出力停止解除またはマナーモードの設定解除を行う手段を携帯端末装置に有している。
【００１５】
さらにまた、本発明の携帯端末リモート制御システムでは、マニュアルによるマナーモード設定状態であることを記憶する手段と、その状態設定でのマナーモード設定解除指示を受けてもマナーモードの解除をしない手段とを携帯端末装置に有している。
【００１６】
一方、本発明の携帯端末リモート制御システムでは、電源オフ指示を指定する制御コマンドを送信する手段が設置されており、その制御コマンドを受信した場合に携帯端末装置の電源を自動的にオフする手段を携帯端末装置に有している。
【００１７】
これによって、本発明の携帯端末リモート制御システムでは、電磁波の影響が心配される場所での送信出力の停止や電車等でのマナーモードへの自動設定を行うことで、周囲への影響を防ぐことが可能となる。
【００１８】
より具体的に説明すると、本発明の携帯端末リモート制御システムでは、携帯端末装置の受信制御コード解析回路が受信回路からの制御情報を分析し、受信した制御コードに応じて送信停止指示信号またはマナーモード設定指示を送信回路または通信制御及び通信回路へ通知する。
【００１９】
送信回路は送信停止指示信号を受信制御コード解析回路から受信すると、送信出力を停止する。また、同様に、通信制御及び通信回路はマナーモード設定指示を受信制御コード解析回路から受信すると、携帯端末装置の待ち受け状態をマナーモードへ設定し、携帯端末装置側で指定されたマナーモード動作（着信音を出さずに振動する等）を行う。
【００２０】
さらに、受信制御コード解析回路では、受信している制御コードを常時監視し、一定時間、送信停止制御指示コマンドを受信しないか、あるいは受信制御コードにてマナーモードの設定解除指示を受信した場合、送信停止指示信号及びマナーモード設定解除指示を解除し、通常使用状態となる。
【００２１】
尚、携帯端末装置側のマナーモード設定時には、解除指示のコマンド受信、あるいは一定時間後に自動で行われる送信停止指示信号の解除及びマナーモード解除指示信号の送信があっても、マニュアルで設定されているマナーモード動作を解除しない。
【００２２】
上記のようにして、本発明の携帯端末リモート制御システムでは、電磁波による影響が心配される場所や電車／劇場等で自動的に携帯端末装置の送信出力を停止したり、マナーモードへ設定することが可能となるので、携帯端末装置のマナーモードの設定忘れや携帯端末装置の電源切り忘れ等を回避し、周囲への迷惑を防ぐことが可能となる。
【発明の効果】
【００２３】
本発明は、以下に述べるような構成及び動作とすることで、携帯端末装置のマナーモードの設定忘れや携帯端末装置の電源切り忘れ等を回避して周囲への迷惑を防ぐことができるという効果が得られる。
【発明を実施するための最良の形態】
【００２４】
次に、本発明の実施例について図面を参照して説明する。図１は本発明の一実施例による携帯端末装置の構成を示すブロック図である。図１において、携帯端末装置１はアンテナ［ＰＤＣ（Ｐｅｒｓｏｎａｌ  Ｄｉｇｉｔａｌ  Ｃｅｌｌｕｌａｒ）／Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）／ＰＨＳ（Ｐｅｒｓｏｎａｌ  Ｈａｎｄｙ−ｐｈｏｎｅ  Ｓｙｓｔｅｍ）等］１１と、共用器１２と、受信回路１３と、受信制御コード解析回路１４と、受信制御回路１５と、通信制御及び通信回路１６と、送信制御回路１７と、送信回路１８と、上記の各回路の動作を実現するプログラム（コンピュータで実行可能なプログラム）を格納する記録媒体１９とから構成されている。
【００２５】
共用器１２はアンテナ１１にて受信した信号を受信回路１３へ通知するともに、送信回路１８からの信号をアンテナ１１から電波にて送信する。受信回路１３はアンテナ１１から受信した信号を復調して信号として受信制御コード解析回路１４へ通知する。
【００２６】
受信制御コード解析回路１４では受信した信号から制御コードを抽出し、制御コードとして送信停止指示コードを受信しているならば、送信回路１８への送信停止指示信号を通知し、制御コードとしてマナーモード設定コードを受信しているならば、通信制御及び通信回路１６へマナーモード設定指示を行う。
【００２７】
また、受信制御コード解析回路１４では受信した信号から制御コードを抽出し、制御コードが送信停止指示信号の解除指示、あるいはマナーモード解除指示信号であるならば、送信停止指示あるいはマナーモード設定指示を解除する。
【００２８】
通信制御及び通信回路１６はマナーモード設定指示によってマナーモードを設定する。送信回路１８は受信制御コード解析回路１４にて送信出力停止指示信号が通知された場合のみ送信出力の停止を行う。
【００２９】
受信制御コード解析回路１４は受信回路１３からの制御情報を分析し、受信した制御コードに応じて送信停止指示信号を送信回路１８に通知するか、またはマナーモード設定指示を通信制御及び通信回路１６に通知する。
【００３０】
送信回路１８は受信制御コード解析回路１４から送信停止指示信号を受信すると、アンテナ１１への送信出力を停止する。また、同様に、通信制御及び通信回路１６は受信制御コード解析回路１４からマナーモード設定指示を受信すると、携帯端末装置１の待ち受け状態をマナーモードへと設定し、携帯端末装置１側で指定されたマナーモード動作（着信音を出さずに振動する等）を行う。
【００３１】
また、受信制御コード解析回路１４は受信している制御コードを常時監視し、一定時間、送信停止制御指示コマンドを受信しないか、あるいは受信制御コードにてマナーモードの設定解除指示を受信した場合、送信停止指示信号及びマナーモード設定解除指示を解除し、通常使用状態となる。
【００３２】
尚、携帯端末装置１側のマナーモード設定時には、解除指示のコマンド受信、あるいは一定時間後に自動で行われる送信停止指示信号の解除及びマナーモード解除指示信号によってマナーモードが解除されるが、マナーモードがマニュアルで設定されている際に、そのマナーモード動作は解除されない。
【００３３】
このように、本実施例では、電磁波による影響が心配される場所や電車／劇場等で自動的に携帯端末装置１の送信出力を停止したり、マナーモードへ設定することができるので、携帯端末装置１のマナーモードの設定忘れや携帯端末装置１の電源切り忘れ等を回避することができ、周辺への迷惑を防ぐことができる。
【００３４】
図２は本発明の一実施例による携帯端末リモート制御システムの動作を示す図である。これら図１及び図２を参照して本発明の一実施例による携帯端末リモート制御システムの動作について説明する。
【００３５】
病院／コンサート会場／劇場／電車／バス等のエリア２においては、自エリア内で携帯端末装置１の送信を停止させたり、マナーモードを設定させたりするための制御コードを送信する送信装置２１が設けられている。
【００３６】
つまり、送信装置２１からはエリア２内での端末使用方法（電源オフ／マナーモード／送信出力停止等）について通知するために、その端末使用方法に応じた制御コード（電源オフ信号、送信停止指示信号、マナーモード設定指示信号等）が送信されている（図２のＡ１参照）。
【００３７】
携帯端末装置１はその使用者がエリア２内（リモート制御範囲内）に移動すると、受信した制御コードに応じて自動的に電源オフ／マナーモード／送信出力停止等の動作を実行する（図２のＡ２参照）。これによって、携帯端末装置１においては設定漏れがなくなる（図２のＡ３参照）。
【００３８】
一方、携帯端末装置１はその使用者がエリア２（リモート制御範囲）から離れるように移動すると、上記のリモート制御状態から自動復旧し、通常使用状態へと戻る（図２のＡ４参照）。
【００３９】
図３は図１の携帯端末装置１の動作を示すフローチャートである。これら図１及び図３を参照して携帯端末装置１の動作について説明する。尚、図３に示す処理は携帯端末装置１内の各回路［または携帯端末装置１のＣＰＵ（中央処理装置）（図示せず）］が記録媒体１９のプログラムを実行することで実現される。
【００４０】
携帯端末装置１は受信処理を行う際に、アンテナ１１で受信した信号を受信回路１３で復調し（図３ステップＳ１）、その復調した信号から受信制御コード解析回路１４にて制御コードを抽出して解析する（図３ステップＳ２）。
【００４１】
受信制御コード解析回路１４は送信停止指示コードを受信したと判断すると（図３ステップＳ３）、送信回路１８への送信停止指示信号を通知する（図３ステップＳ４）。
【００４２】
また、受信制御コード解析回路１４はマナーモード設定コードを受信したと判断すると（図３ステップＳ５）、通信制御及び通信回路へマナーモード設定指示を通知する（図３ステップＳ６）。
【００４３】
一方、受信制御コード解析回路１４は解除指示を受信したと判断すると（図３ステップＳ７）、送信停止指示信号、またはマナーモード設定指示を解除する（図３ステップＳ８）。携帯端末装置１は上記の処理を電源オフとなるまで繰り返し実行する。また、図示していないが、携帯端末装置１は電源オフ信号が制御コードにて通知された場合、図示せぬ電源をオフとする。
【００４４】
本実施例では、人手による操作をなくすために、携帯端末装置１側において、受信制御コード解析回路１４が送信装置２１からの制御コードを抽出して解析し、その解析結果に応じて送信停止指示信号を送信回路１８に出力したり、またはマナーモード設定指示を通信制御及び通信回路１６に通知している。
【００４５】
携帯端末装置１による電磁波の影響を抑えるために、送信回路１８は送信停止指示信号を受けた場合、送信停止を行う。また、通信制御及び通信回路１６はマナーモード設定指示を受けた場合、携帯端末装置１をマナーモードで動作させる。この後、受信制御コード解析回路１４は受信している制御コードを常時監視する。
【００４６】
受信制御コード解析回路１４は一定時間、送信停止制御コードまたはマナーモード設定コードを受信しなければ、送信停止指示信号またはマナーモード設定指示を解除する。尚、通信制御及び通信回路１６は携帯端末装置１による電磁波の影響を抑えるために、受信制御コード解析回路１４からの指示に応じて携帯端末装置１の電源をオフする。
【００４７】
このように、本実施例では、エリア２内の送信装置２１からの制御コードの通知によって、携帯端末装置１の送信出力を停止することができるので、電磁波による影響が懸念される場所での電源切り忘れを防止することができる。
【００４８】
また、本実施例では、携帯端末装置１のマナーモードを通信制御及び通信回路１６にて自動設定することができるので、劇場、電車等のエリア２内でマナーモードの設定漏れを防止することができる。
【００４９】
さらに、本実施例では、携帯端末装置１のマナーモードを使用者が人手（マニュアル）にて設定している場合、マナーモードの解除指示が通知されても、マナーモードの解除を防止することができる。
【００５０】
図４は本発明の他の実施例による携帯端末装置の構成を示すブロック図である。図４において、本発明の他の実施例は携帯端末装置３での制御コードの受信方法について、本発明の一実施例よりもさらに工夫している。
【００５１】
図４において、本発明の他の実施例では、制御コードを受信する経路が通信で使用しているアンテナ１１経由ではなく、別のアンテナ３１経由で受信し、共用器３２がその受信信号を受信制御コード解析回路１４へ通知している。
【００５２】
つまり、携帯端末装置３はアンテナ（ＰＤＣ／Ｗ−ＣＤＭＡ／ＰＨＳ等）１１と、共用器１２，３２と、受信回路１３と、受信制御コード解析回路１４と、受信制御回路１５と、通信制御及び通信回路１６と、送信制御回路１７と、送信回路１８と、別のアンテナ３１と、上記の各回路の動作を実現するプログラム（コンピュータで実行可能なプログラム）を格納する記録媒体３３とから構成されている。
【００５３】
別のアンテナ３１で受信する無線方式としては、例えば、無線ＬＡＮ（Ｌｏｃａｌ  Ａｒｅａ  Ｎｅｔｗｏｒｋ）（ＩＥＥＥ８０２．１１ａ／ｂ／ｇ）、ＵＷＢ（ウルトラ・ワイド・バンド）、Ｂｌｕｅｔｏｏｔｈ（Ｒ）［ブルーツース（Ｒ）］等である。
【００５４】
携帯端末装置３には通話で使用している無線通信の他の方法で通信する手段を有し、その方法によって制御呼コードを携帯端末装置３が受信することで、上述した携帯端末装置３の送信出力の停止やマナーモードの設定、及びそれらの解除を行うことができる。
【００５５】
このように、本実施例では、通信用の無線処理と制御コードを通信する処理とが分離しているので、通信用の無線方式（ＰＤＣやＷ−ＣＤＭＡ等）の差異があっても、携帯端末装置１側で共通して制御コードを受信することができ、制御コードを送信する側（送信装置２１）の設備低減を図ることができる。
【産業上の利用可能性】
【００５６】
本発明は劇場、コンサート、美術館等で着信音が他の客に迷惑になるような閉空間にて、マナーモードの設定を行うケース、電磁波等の影響が心配される身障者向け座席近辺、病院等での送信出力の停止が必要なケースにそれぞれ適応することができる。
【図面の簡単な説明】
【００５７】
【図１】本発明の一実施例による携帯端末装置の構成を示すブロック図である。
【図２】本発明の一実施例による携帯端末リモート制御システムの動作を示す図である。
【図３】図１の携帯端末装置の動作を示すフローチャートである。
【図４】本発明の他の実施例による携帯端末装置の構成を示すブロック図である。
【符号の説明】
【００５８】
１，３  携帯端末装置
２  エリア
１１  アンテナ
１２，３２  共用器
１３  受信回路
１４  受信制御コード解析回路
１５  受信制御回路
１６  通信制御及び通信回路
１７  送信制御回路
１８  送信回路
１９，３３  記録媒体
２１  送信装置
３１  別のアンテナ
【図１】
2005229229.tif 000003
【図２】
2005229229.tif 000004
【図３】
2005229229.tif 000005
【図４】
2005229229.tif 000006